(57)【要約】      （修正有）【課題】マスクを使用者から取り外した状態において、マスクを、使用者によって常時携帯状態に保持することの可能なマスクを提供する。【解決手段】マスク１は、使用者の鼻や口を覆うマスク本体２と、マスク本体２の上部に取り付けられ、マスク本体２を使用者の首に吊り下げるための紐体３とを備え、マスク本体２には、所定幅の外縁部を残して通気孔４が形成され、マスクの表裏面の少なくとも一方の面の外縁部に、通気孔を覆う空気浄化体５が装着されている。マスク１を使用する場合、使用者はマスク１の把持部７を掴んで上方へ移動させ、口や鼻の前方に保持して自身の口や鼻を覆う。【選択図】図１
0003231308.tif 000002
【実用新案登録請求の範囲】
【請求項１】
使用者の鼻や口を覆うマスク本体と、このマスク本体の上部に取り付けられ、前記マスク本体を使用者の首に吊り下げるための紐体とを備え、前記マスク本体には、所定幅の外縁部を残して通気孔が形成され、前記マスクの表裏面の少なくとも一方の面の前記外縁部に、前記通気孔を覆う空気浄化体が装着されていることを特徴とするマスク。
【請求項２】
前記マスク本体が合成樹脂によって形成されていることを特徴とする請求項１に記載のマスク。
【請求項３】
前記マスク本体が厚紙によって形成されていることを特徴とする請求項１に記載のマスク。
【請求項４】
前記マスク本体の下部に、使用者によって把持されて前記マスク本体の移動に用いられる把持部が延設されていることを特徴とする請求項１ないし請求項３の何れかに記載のマスク。
【請求項５】
前記空気浄化体が不織布によって形成されていることを特徴とする請求項１に記載のマスク。
【請求項６】
前記空気浄化体が、前記マスクの外縁部に着脱可能に装着されていることを特徴とする請求項５に記載のマスク。
【考案の詳細な説明】
【技術分野】
【０００１】
本発明は、細かな埃の吸い込みや、飛沫感染防止等に用いられるマスクに関する。
【背景技術】
【０００２】
細かな埃の吸い込みや、飛沫感染防止等に用いられるマスクは、使用者の鼻や口を覆う布や不織布等からなるマスク本体と、このマスク本体の両側部に、このマスク本体を使用者の両耳に掛け止めする紐体によって構成されている。
【０００３】
このようなマスクにおいては、装着状態において耳に荷重がかかり、不快感を与えてしまうことがある。
【０００４】
このような不具合を解消するために、たとえば、特許文献１に示されるように、マスク本体の両側部に帯状の連結帯を取り付け、これらの連結帯を使用者の首の両側部および後部を取り巻くように配置した後に相互に連結することにより、マスク本体を首によって支持するような構成のマスクが提案されている。
【先行技術文献】
【特許文献】
【０００５】
【特許文献１】実用新案登録第３２２９５１１号公報
【考案の概要】
【考案が解決しようとする課題】
【０００６】
ところで、前述した何れのマスクにおいても、次のような改善すべき問題点が残されている。
【０００７】
すなわち、たとえば、食事をとる場合にはマスクを外さなければならないが、前述した何れもマスクにおいても、外したマスクは使用者から切り離され、テーブル等の上に置かなければならない、
【０００８】
また、食事を中断した際、食事中に会話をする際、あるいは、食事を終えた際には、マスクをテーブル上から取り上げ再装着する。
【０００９】
ここで、マスクがテーブル等に接触することにより、埃や細菌がテーブルからマスクに付着し、あるいは、マスクからテーブルに付着して拡散することが想定される。
【００１０】
本考案は、前述した従来において残されている問題点に鑑みなされたもので、マスクを使用者から取り外した状態において、マスクを、使用者によって常時携帯状態に保持することの可能なマスクを提供することを課題とする。
【課題を解決するための手段】
【００１１】
本考案のマスクは、前述した従来の問題点を解消するために、使用者の鼻や口を覆うマスク本体と、このマスク本体の上部に取り付けられ、前記マスク本体を使用者の首に吊り下げるための紐体とを備え、前記マスク本体には、所定幅の外縁部を残して通気孔が形成され、前記マスクの表裏面の少なくとも一方の面の前記外縁部に、前記通気孔を覆う空気浄化体が装着されていることを特徴としている。
【００１２】
このような構成とすることにより、使用者が紐体を首にかけることにより、マスクが使用者の、たとえば、胸あたりに保持される。
【００１３】
人と人の間隔が狭くなる環境下、あるいは、人と人とが対面する環境下等、マスクを使用しなければならない環境下においてマスクを使用する場合、使用者はマスクを掴んで口や鼻の前方に保持して自身の口や鼻を覆う。
これによって、塵や細菌の吸い込みや飛散を防止することができる。
【００１４】
そして、使用者がマスクを使用しなければならない環境から離れ、マスクを取り外す場合、マスクを使用者の胸あたりまで移動させた後にこのマスクを離すことにより、マスクは紐体によって使用者の首に吊り下げられて使用者の胸近くに保持される。
【００１５】
このように、マスクの装着や取り外しの際に、取り外したマスクが使用者の所定位置に保持され、使用者によって常時携帯される。
【００１６】
この結果、マスクを取り外した際に、テーブルや机といった他の物品との接触が回避され、埃や細菌が他の物品を介して拡散することが防止される。
【００１７】
また、食事の際に見られるように、マスクの装着や取り外しを頻繁に行なわなければならない場合にあっても、マスクを、使用者の胸あたりと口や鼻を覆う位置との２位置間で往復移動させるといった簡便な操作によって行なうことができる。
【００１８】
前記マスク本体は、合成樹脂や厚紙によって形成することができる。
前者の場合には、劣化の進行が遅く、長期使用が可能となる。
また、後者の場合には、劣化の進行が比較的早いことから、取り替え時期を容易に確認することができる。
【００１９】
前記マスク本体の下部に、使用者によって把持されて前記マスク本体の移動に用いられる把持部を形成することが好ましい。
【００２０】
このような構成とすることにより、マスク本体や、埃や細菌等を捕獲する空気清浄布に触れることなくマスクの着脱操作を行なうことができ、埃や細菌の拡散防止効果を高めることができる。
【００２１】
また、前記空気浄化体は不織布によって形成することができる。
このような構成とすることにより、埃や細菌の捕獲効果を高めることができる。
【００２２】
前記空気浄化体を、前記マスクの外縁部に着脱可能に装着することができる。
このような構成とすることにより、埃や細菌を捕獲する主要な構成部位を交換可能にして、マスクの長期使用を可能にする。
【考案の効果】
【００２３】
マスクを使用者から取り外した状態において、マスクを、使用者によって常時携帯状態に保持できるマスクを提供することができる。
【図面の簡単な説明】
【００２４】
【図１】本考案の一実施形態を示す正面図である。
【図２】本考案の一実施形態を示す背面図である。
【図３】本考案の一実施形態の使用説明図である。
【図４】本考案の一実施形態の使用説明図である。
【考案を実施するための形態】
【００２５】
以下、本考案の一実施形態を図１ないし図４を参照して説明する。
これらの図において符号１は、本実施形態のマスクを示し、このマスク１は、使用者Ｍの鼻や口を覆うマスク本体２と、このマスク本体２の上部に取り付けられ、マスク本体２を使用者Ｍの首に吊り下げるための紐体３とを備え、マスク本体２には、所定幅の外縁部を残して通気孔４が形成され、マスク１の表裏面の少なくとも一方の面の外縁部に、通気孔４を覆う空気浄化体５が装着されている。
【００２６】
前記マスク本体２は矩形状に形成されており、この上辺の両端部には、貫通孔６がそれぞれ形成されており、これらの貫通孔６のそれぞれに、紐体３の各端部が結びつけられることにより、紐体３がマスク本体２に取り付けられている。
【００２７】
前記マスク本体２は、合成樹脂若しくは厚紙によって形成されており、使用目的等に応じて適宜選択される。
【００２８】
前記マスク本体２の下部には、使用者Ｍによって把持されてマスク本体２の移動に用いられる把持部７が延設されている。
【００２９】
前記空気浄化体５は、通常フィルタとして用いられている不織布を用いることにより、安価に形成することができる。
【００３０】
また、前記空気浄化体５は、マスク１の外縁部に一体に装着することも可能であり、底粘着性テープや面ファスナ等を用いて着脱可能に装着することも可能である。
【００３１】
このように構成された本実施形態のマスク１は、使用者Ｍが紐体３を首にかけることにより、マスク１が使用者Ｍの、たとえば、胸あたりに保持される（図３（ａ）および（ｂ）参照）。
【００３２】
人と人の間隔が狭くなる環境下、あるいは、人と人とが対面する環境下等、マスク１を使用しなければならない環境下においてマスク１を使用する場合、使用者Ｍはマスク１の把持部７を掴んで（図４（ａ）参照）上方へ移動させ、図４（ｂ）に示すように、口や鼻の前方に保持して自身の口や鼻を覆う。
これによって、堀や細菌の吸い込みや飛散を防止することができる。
【００３３】
そして、使用者Ｍがマスク１を使用しなければならない環境から離れ、マスク１を取り外す場合、マスク１を使用者Ｍの胸あたりまで移動させた後にこのマスク１を離すことにより、マスク１は紐体３によって使用者Ｍの首に吊り下げられて使用者Ｍの胸近くに保持される。
【００３４】
このように、マスク１の装着や取り外しの際に、取り外したマスク１が使用者の所定位置に保持され、使用者によって常時携帯される。
【００３５】
この結果、マスク１を取り外した際に、テーブルや机といった他の物品との接触が回避され、埃や細菌が他の物品を介して拡散することが防止される。
【００３６】
また、食事の際に見られるように、マスク１の装着や取り外しを頻繁に行なわなければならない場合にあっても、マスク１を、使用者の胸あたりと口や鼻を覆う位置との２位置間で往復移動させるといった簡便な操作によって行なうことができる。
【００３７】
また、マスク本体２を合成樹脂によって形成することにより、劣化の進行を抑制して長期使用を可能とすることができる。
あるいは、厚紙によって形成することにより、劣化の進行が比較的早いことから、取り替え時期を容易に確認することができる。
【００３８】
また、マスク本体１の下部に把持部７を形成したことにより、マスク本体２や、埃や細菌等を捕獲する空気清浄布に触れることなくマスクの着脱操作を行なうことができ、埃や細菌の拡散防止効果を高めることができる。
【００３９】
さらに、空気浄化体５を、マスク１の外縁部に着脱可能に装着したことにより、埃や細菌を捕獲する主要な構成部位を交換可能にして、マスク１の長期使用を可能にする。
【００４０】
なお、前記実施形態において示した各構成部材の諸形状や寸法、あるいは、材質等は一例であって、設計要求等に基づき種々変更可能である。
【符号の説明】
【００４１】
１  マスク
２  マスク本体
３  紐体
４  通気孔
５  空気浄化体
６  貫通孔
７  把持部
Ｍ  使用者
【図１】
0003231308.tif 000003
【図２】
0003231308.tif 000004
【図３】
0003231308.tif 000005
【図４】
0003231308.tif 000006